【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
ベースレイヤ及び少なくとも１つのエンハンスメントレイヤを有するスケーラブル・ストリームを復号する方法であって、
前記ベースレイヤから少なくとも１つの画像を再構成するステップと、
前記再構成された少なくとも１つの画像の少なくとも１つの領域を特定する情報の少なくとも１つの項目を有する復号されたエンハンスメントデータへと、複数のブロックのグループに関連する前記少なくとも１つのエンハンスメントレイヤの第１部分を復号するステップと、
前記情報の少なくとも１つの項目によって特定される前記再構成された少なくとも１つの画像の前記少なくとも１つの領域を処理するステップと、
前記少なくとも１つのエンハンスメントレイヤの第２部分から前記グループの中の少なくとも１つのブロックについて残差を求めるステップと、
前記残差から及び前記処理された少なくとも１つの領域から前記少なくとも１つのブロックを再構成するステップと
を有する方法。
【請求項２】
前記グループは、画像スライスである、
請求項１に記載の方法。
【請求項３】
前記再構成された少なくとも１つの画像の少なくとも１つの領域を特定する前記情報の少なくとも１つの項目は、前記グループの中のブロックに対応する前記再構成された少なくとも１つの画像の各ブロックについて、前記再構成された少なくとも１つの画像の当該ブロックが処理されるべきか否かを示すマップである、
請求項１又は２に記載の方法。
【請求項４】
前記再構成された少なくとも１つの画像の少なくとも１つの領域を特定する前記情報の少なくとも１つの項目は、前記グループの中の各ブロックについて、前記グループの中の当該ブロックがその再構成のために前記再構成された少なくとも１つの画像の処理されたブロックを使用するかどうかを示すマップである、
請求項１又は２に記載の方法。
【請求項５】
前記再構成された少なくとも１つの画像の少なくとも１つの領域を特定する前記情報の少なくとも１つの項目が前記グループのために符号化されるか否かを示す前記グループについての追加情報の項目を前記少なくとも１つのエンハンスメントレイヤから復号するステップを有する
請求項１乃至４のうちいずれか一項に記載の方法。
【請求項６】
前記少なくとも１つのエンハンスメントレイヤの少なくとも１つの画像について、前記再構成された少なくとも１つの画像の少なくとも１つの領域を特定する前記情報の少なくとも１つの項目が、前記エンハンスメントレイヤの前記少なくとも１つの画像の複数のブロックのグループのために符号化され得るか否かを示す追加情報の第１項目を前記少なくとも１つのエンハンスメントレイヤから復号するステップを有する
請求項１乃至４のうちいずれか一項に記載の方法。
【請求項７】
前記追加情報の第１項目が、前記再構成された少なくとも１つの画像の少なくとも１つの領域を特定する前記情報の少なくとも１つの項目が符号化され得ることを示す場合に、
前記エンハンスメントレイヤの前記少なくとも１つの画像の前記複数のブロックのグループについて、前記再構成された少なくとも１つの画像の少なくとも１つの領域を特定する前記情報の少なくとも１つの項目が前記エンハンスメントレイヤの前記少なくとも１つの画像の前記複数のブロックのグループのために符号化されるか否かを示す追加情報の第２項目を、前記少なくとも１つのエンハンスメントレイヤから復号するステップを有する
請求項６に記載の方法。
【請求項８】
ベースレイヤ及び少なくとも１つのエンハンスメントレイヤを有するスケーラブル・ストリームの形で画像のシーケンスを符号化する方法であって、
前記ベースレイヤにおいて少なくとも１つの画像を符号化し、該少なくとも１つの画像を再構成するステップと、
複数のブロックのグループに関連する前記少なくとも１つのエンハンスメントレイヤの第１部分においてエンハンスメントデータを符号化するステップであって、該エンハンスメントデータが、前記再構成された少なくとも１つの画像の少なくとも１つの領域を特定する情報の少なくとも１つの項目を有する、ステップと、
前記情報の少なくとも１つの項目によって特定される前記再構成された少なくとも１つの画像の前記少なくとも１つの領域を処理するステップと、
前記グループの中の少なくとも１つのブロックについて、該少なくとも１つのブロックから及び前記処理された少なくとも１つの領域から残差を求めるステップと、
前記少なくとも１つのエンハンスメントレイヤの第２部分において前記残差を符号化するステップと
を有する方法。
【請求項９】
前記グループは、少なくとも１つの画像スライスを有する、
請求項８に記載の方法。
【請求項１０】
前記再構成された少なくとも１つの画像の少なくとも１つの領域を特定する前記情報の少なくとも１つの項目は、前記グループの中のブロックに対応する前記再構成された少なくとも１つの画像の各ブロックについて、前記再構成された少なくとも１つの画像の当該ブロックが処理されるべきか否かを示すマップである、
請求項８又は９に記載の方法。
【請求項１１】
前記再構成された少なくとも１つの画像の少なくとも１つの領域を特定する前記情報の少なくとも１つの項目は、前記グループの中の各ブロックについて、前記グループの中の当該ブロックがその再構成のために前記再構成された少なくとも１つの画像の処理されたブロックを使用するかどうかを示すマップである、
請求項８又は９に記載の方法。
【請求項１２】
前記再構成された少なくとも１つの画像の少なくとも１つの領域を特定する前記情報の少なくとも１つの項目が前記グループのために符号化されるか否かを示す前記グループについての追加情報の項目を前記少なくとも１つのエンハンスメントレイヤにおいて符号化するステップを有する
請求項８乃至１１のうちいずれか一項に記載の方法。
【請求項１３】
前記少なくとも１つのエンハンスメントレイヤの少なくとも１つの画像について、前記再構成された少なくとも１つの画像の少なくとも１つの領域を特定する前記情報の少なくとも１つの項目が、前記少なくも１つのエンハンスメントレイヤの前記少なくとも１つの画像の複数のブロックのグループのために符号化され得るか否かを示す追加情報の第１項目を前記前記少なくとも１つのエンハンスメントレイヤにおいて符号化するステップを有する
請求項８乃至１１のうちいずれか一項に記載の方法。
【請求項１４】
前記追加情報の第１項目が、前記再構成された少なくとも１つの画像の少なくとも１つの領域を特定する前記情報の少なくとも１つの項目が符号化され得ることを示す場合に、
前記少なくとも１つのエンハンスメントレイヤの前記少なくとも１つの画像の前記複数のブロックのグループについて、前記再構成された少なくとも１つの画像の少なくとも１つの領域を特定する前記情報の少なくとも１つの項目が、前記少なくとも１つのエンハンスメントレイヤの前記少なくとも１つの画像の前記複数のブロックのグループのために符号化されるか否かを示す追加情報の第２項目を、前記少なくとも１つのエンハンスメントレイヤにおいて符号化するステップを有する
請求項１３に記載の方法。
【請求項１５】
ベースレイヤ及び少なくとも１つのエンハンスメントレイヤを有するスケーラブル・ストリームを復号するよう構成される復号器であって、
前記ベースレイヤから少なくとも１つの画像を再構成する手段と、
前記再構成された少なくとも１つの画像の少なくとも１つの領域を特定する情報の少なくとも１つの項目を有する復号されたエンハンスメントデータへと、複数のブロックのグループに関連する前記少なくとも１つのエンハンスメントレイヤの第１部分を復号する手段と、
前記情報の少なくとも１つの項目によって特定される前記再構成された少なくとも１つの画像の前記少なくとも１つの領域を処理する手段と、
前記少なくとも１つのエンハンスメントレイヤの第２部分から前記グループの中の少なくとも１つのブロックについて残差を求める手段と、
前記残差から及び前記処理された少なくとも１つの領域から前記少なくとも１つのブロックを再構成する手段と
を有する復号器。
【請求項１６】
請求項１乃至７のうちいずれか一項に記載の復号する方法のステップを実行するよう構成される
請求項１５に記載の復号器。
【請求項１７】
ベースレイヤ及び少なくとも１つのエンハンスメントレイヤを有するスケーラブル・ストリームの形で画像のシーケンスを符号化するよう構成される符号器であって、
前記ベースレイヤにおいて少なくとも１つの画像を符号化し、該少なくとも１つの画像を再構成する手段と、
複数のブロックのグループに関連する前記少なくとも１つのエンハンスメントレイヤの第１部分において、前記再構成された少なくとも１つの画像の少なくとも１つの領域を特定する情報の少なくとも１つの項目を有するエンハンスメントデータを符号化する手段と、
前記情報の少なくとも１つの項目によって特定される前記再構成された少なくとも１つの画像の前記少なくとも１つの領域を処理する手段と、
前記グループの中の少なくとも１つのブロックについて、該少なくとも１つのブロックから及び前記処理された少なくとも１つの領域から残差を求める手段と、
前記少なくとも１つのエンハンスメントレイヤの第２部分において前記残差を符号化する手段と
を有する符号器。
【請求項１８】
請求項８乃至１４のうちいずれか一項に記載の符号化する方法のステップを実行するよう構成される
請求項１７に記載の符号器。
【請求項１９】
ベースレイヤ及び少なくとも１つのエンハンスメントレイヤを有する画像シーケンスを表すデータストリームを記憶している非一時的な記憶媒体であって、
前記ベースレイヤは、該ベースレイヤの少なくとも１つの画像に関するデータを有し、
前記少なくとも１つのエンハンスメントレイヤは、
複数のブロックのグループに関する第１部分において、前記ベースレイヤの前記画像の少なくとも１つの領域を特定する情報の少なくとも１つの項目を有するエンハンスメントデータを有し、
第２部分において、前記グループの中の少なくとも１つのブロックから及び処理された前記少なくとも１つの領域から求められる残差を表すデータを有する、
非一時的な記憶媒体。
【請求項２０】
コンピュータで実行される場合に請求項１乃至７のうちいずれか一項に記載の方法のステップを実行するプログラムコード命令を有することを特徴とするコンピュータプログラム。
【請求項２１】
コンピュータで実行される場合に請求項８乃至１４のうちいずれか一項に記載の方法のステップを実行するプログラムコード命令を有することを特徴とするコンピュータプログラム。